(57)【要約】【課題】歯ブラシ全体の歯垢除去効果を損なうことなく、統一された特徴が異なる複数の毛束群による各歯の種類や部位に応じた刷掃を効率良く行うことのできる歯ブラシを提供する。【解決手段】植毛台１１の植毛面は、先端部領域１６と、これの後方部分の中央帯状領域１７と、一対の外側帯状領域１８とを有しており、先端部領域１６には先端毛束群１９Ａを、中央帯状領域１７には中央毛束群１９Ｂを、各外側帯状領域１８には外側毛束群１９Ｃを各々植設した歯ブラシ１０であって、先端毛束群１９Ａと中央毛束群１９Ｂと各外側毛束群１９Ｃはその統一された特徴が異なっており、且つ中央帯状領域１７における植毛密度が５〜２５％であると共に、中央帯状領域における主ブリッスル断面積率が３０〜８０％である。【選択図】　　　図１
2004105304.tif 000002
【特許請求の範囲】
【請求項１】
複数本のブリッスルを束ねてなる毛束が植毛台の植毛面に複数植設されている歯ブラシであって、
前記植毛台に植設された前記複数本のブリッスルの先端を平坦な面に当接させて前記植毛台の後側から３００ｇの荷重を垂直に負荷しつつ刷掃した際に前記平坦な面に先端が接触するブリッスルを主ブリッスルとし、且つ前記植毛台の植毛面は、先端部領域と、該先端部領域の後方部分を歯ブラシの軸方向に沿った３つの帯状領域に分けた際の中央帯状領域と、該中央帯状領域の両側の一対の外側帯状領域との４つの領域を有しており、
前記先端部領域に植設された先端毛束群、前記中央帯状領域に植設された中央毛束群、前記各外側帯状領域に植設された外側毛束群は、各々統一された特徴を備えていると共に、前記先端毛束群と前記中央毛束群と前記各外側毛束群とは、その統一された特徴が相違しており、
且つ前記中央帯状領域における植毛密度が５〜２５％であると共に、前記中央帯状領域における主ブリッスル断面積率が３０〜８０％である歯ブラシ。
【発明の詳細な説明】
【０００１】
【発明の属する技術分野】
本発明は、複数本のブリッスルを束ねてなる毛束が植毛台に複数植設されている歯ブラシに関する。
【０００２】
【従来の技術及び発明が解決しようとする課題】
歯ブラシは、複数本のブリッスルを束ねてなる毛束を、例えば植毛台の植毛面に設けられた複数の植毛孔に平線を打ち込んだり熱で融着させる方法等によって植設固定することにより形成されるものである。また、歯ブラシは、前歯、奥歯等の歯の種類や、歯間部、歯面部、歯頸部等の歯の部位に応じた適切な刷掃を効率良く行って歯垢等を効果的に除去できるように、また刷掃時に良好な感触が得られるように、毛束の配置やブリッスルの毛先の形状等に様々な工夫がなされている。
【０００３】
一方、奥歯や前歯等の複数の歯の種類や、歯間部、歯面部、歯頸部等の複数の歯の部位に対して、一本の歯ブラシで適切な刷掃を行ってゆくことができるように、各歯の種類や部位の刷掃に適した外観形態（統一された特徴）が異なる複数の毛束群を植毛台に植設した歯ブラシが種々開発されている。
【０００４】
しかしながら、外観形態が異なる複数の毛束群を一本の歯ブラシに植設する場合（例えば、特許文献１参照）、これらの複数の毛束群の配置やブリッスルの植毛密度等が適切でないと、他の毛束群との関係で、歯ブラシ全体の歯垢除去効果が却って損なわれることになる。
【０００５】
例えば、植毛台の植毛面に、先端部領域と、該先端部領域の後方部分を歯ブラシの軸方向に沿った３つの帯状領域に分けた際の中央帯状領域と、該中央帯状領域の両側の一対の外側帯状領域との４つの領域を有する歯ブラシの場合、中央帯状領域の主ブリッスルの断面積の総和の該中央帯状領域の面積に対する割合（中央帯状領域における植毛密度）が高すぎると、主ブリッスルが歯間部の入り口で密集状態になって歯間部の奥深くまで到達しにくくなり、十分な歯垢除去効果が得られない。
【０００６】
一方、中央帯状領域の主ブリッスルの断面積の総和の全主ブリッスルの断面積の総和に対する割合（中央帯状領域における主ブリッスル断面積率）が低すぎると、先端部領域と外側帯状領域には主ブリッスルが多いが中央帯状領域にだけ主ブリッスルが少ない状態になる。したがって、歯ブラシの真ん中に毛が少ない空白部分ができ、磨いたと思っても磨き残しが多くなるなどの問題が生じる。
【０００７】
本発明は、歯ブラシ全体の歯垢除去効果を損なうことなく、外観形態（統一された特徴）が異なる複数の毛束群による各歯の種類や部位に応じた刷掃を効率良く行うことのできる歯ブラシを提供することを目的とする。
【０００８】
【特許文献１】
特開平９−１４９８１５号公報
【０００９】
【課題を解決するための手段】
本発明は、複数本のブリッスルを束ねてなる毛束が植毛台の植毛面に複数植設されている歯ブラシであって、前記植毛台に植設された前記複数本のブリッスルの先端を平坦な面に当接させて前記植毛台の後側から３００ｇの荷重を垂直に負荷しつつ刷掃した際に前記平坦な面に先端が接触するブリッスルを主ブリッスルとし、且つ前記植毛台の植毛面は、先端部領域と、該先端部領域の後方部分を歯ブラシの軸方向に沿った３つの帯状領域に分けた際の中央帯状領域と、該中央帯状領域の両側の一対の外側帯状領域との４つの領域を有しており、前記先端部領域に植設された先端毛束群、前記中央帯状領域に植設された中央毛束群、前記各外側帯状領域に植設された外側毛束群は、各々統一された特徴を備えていると共に、前記先端毛束群と前記中央毛束群と前記各外側毛束群とは、その統一された特徴が相違しており、且つ前記中央毛束群を構成する各中央主ブリッスルの断面積の総和の前記中央帯状領域の面積に対する割合（中央帯状領域における植毛密度＝（中央主ブリッスルの断面積の総和）／（中央帯状領域の面積）×１００（％））が５〜２５％であると共に、前記各中央主ブリッスルの断面積の総和の前記植毛面に植設された全主ブリッスルの断面積の総和に対する割合（中央帯状領域における主ブリッスル断面積率＝（中央主ブリッスルの断面積の総和）／（全主ブリッスルの断面積の総和）×１００（％））が３０〜８０％である歯ブラシを提供することにより、上記目的を達成したものである。
【００１０】
ここで、本願において、「主ブリッスル」は、図３（ａ），（ｂ）にモデル化して示すように、植毛台５０に植設された複数本のブリッスル５１の先端を平坦な面５２に当接させて植毛台５０の後側から３００ｇの荷重Ｐを垂直に負荷しつつ刷掃した際に、平坦な面５２に先端が接触するブリッスル５１ａを意味するものである。したがって、ブリッスルのうち、３００ｇの荷重Ｐが垂直に負荷されて植毛台５０が変位ｓだけ移動してもその先端が平坦な面５２に当接しない、最も長いブリッスルと５１ａとの毛丈の段差ｄが変位ｓよりも大きいブリッスル５１ｂを除いて考える趣旨である。
【００１１】
また、本願において、「統一された特徴」とは、毛束の先端形状（毛束をカットした面やブリッスルを揃えた面の角度や曲率）、毛束の横断面形状、毛束の傾倒方向や傾倒角度、毛束の太さ、毛束の植毛高さ、長軸短軸がある横断面形状を有する毛束の軸方向、ブリッスルの先端形状、ブリッスルのかたさ理論値の平均等を特徴として統一されていることを意味するものであり、毛束群が全体で一つの形（例えば同心円状や山の形等）に形成されている場合も含まれる。
【００１２】
また、各特徴には優先順位があり、最も優先順位が高いのは、毛束群が全体で一つの形に形成されている場合で、次いで毛束の先端形状、毛束の傾倒方向や傾倒角度、毛束の植毛高さ、毛束の太さ、長軸短軸がある横断面形状を有する毛束の軸方向、ブリッスルのかたさ理論値の平均、ブリッスルの先端形状と続くことになる。したがって、一つの毛束に複数の「統一された特徴」が存在する場合は、当該毛束は、より優先順位の高い特徴を有する毛束群の方に含まれることになる。
【００１３】
なお、このような各毛束群の「統一された特徴」の相違は、主として奥歯や前歯等の複数の歯の種類や、歯間部、歯面部、歯頸部等の複数の歯の部位に対して各々適切な刷掃を行ってゆくための、各毛束群が備える特有の機能の相違によるものである。
【００１４】
さらに、本願において、植毛台の植毛面における先端部領域、中央帯状領域、外側帯状領域は、各領域に植設される先端毛束群、中央毛束群、外側毛束群を構成する毛束のうちの、他の毛束群と隣接する位置に配置される各一対の毛束の外周間の植毛面における中点を結んで得られる線分によって区画される領域である。また中央帯状領域の面積は、このような線分によって先端部領域、及び外側帯状領域と区画される領域の面積を意味するものである。
【００１５】
さらにまた、本願において、中央帯状領域における植毛密度とは、前記中央毛束群を構成する主ブリッスルである各中央主ブリッスルの断面積の総和の前記中央帯状領域の面積に対する割合をいい、中央帯状領域における主ブリッスル断面積率は、前記各中央主ブリッスルの断面積の総和の前記植毛面に植設された全主ブリッスルの断面積の総和に対する割合をいう。
【００１６】
そして、本発明の歯ブラシによれば、先端部領域に植設された先端毛束群と、中央帯状領域に植設された中央毛束群と、各外側帯状領域に植設された外側毛束群は、これらの毛束群の機能等に応じてその「統一された特徴」が異なっており、且つ中央帯状領域における植毛密度が５〜２５％、中央帯状領域における主ブリッスル断面積率が３０〜８０％となっているので、各毛束群によって、異なる歯の種類や異なる歯の部位に対して各々効率良く刷掃を行ってゆくことが可能になると共に、中央帯状領域における植毛密度と主ブリッスル断面積率の双方がいずれも低くならないように、先端部領域と各外側帯状領域における主ブリッスルの量がコントロールされていることにより、歯間部の奥深くまで主ブリッスルの先端が到達し、且つ歯間部だけでなく平滑面までも主ブリッスルが万遍なく効率的に接触するという作用によって、歯ブラシ全体の歯垢除去効果を向上させることが可能になる。
【００１７】
中央帯状領域における植毛密度を５〜２５％としたのは、植毛密度が５％よりも小さいと、中央帯状領域の毛の感触が極端に頼りなくなってしまい、それを補うためにブリッスルを太くすると逆に痛くて磨けなくなってしまうおそれがるためであり、植毛密度が２５％よりも大きいと、後述する比較例１で示すように、中央帯状領域における主ブリッスル断面積率が高くても歯間部にブリッスルが入りにくくなって十分な歯垢除去効果が得られないからである。
【００１８】
また、中央帯状領域における主ブリッスル断面積率を３０〜８０％としたのは、主ブリッスル断面積率が３０％よりも小さいと、後述する比較例２，３で示すように、中央帯状領域における植毛密度が低くても中央帯状領域における主ブリッスル断面積率も低くなりすぎるため刷掃効率が上がらず、十分な歯垢除去効果が得られないからであり、主ブリッスル断面積率が８０％よりも大きいと、先端部領域と外側帯状領域の主ブリッスルが少くなりすぎて、各領域の特徴を十分に発揮できなくなるためである。
【００１９】
【発明の実施の形態】
図１（ａ），（ｂ）に示す本発明の好ましい一実施形態に係る歯ブラシ１０は、把持部（図示せず）と植毛台１１とこれらを連結する首部１２とからなる歯ブラシ本体の植毛台１１に形成した複数の植毛孔１３ａ，１３ｂ，１３ｃ，１３ｄに、複数本のブリッスル１４ａ，１４ｂ，１４ｃ，１４ｄを束ねてなる毛束（タフト）１５ａ，１５ｂ，１５ｃ，１４ｄを各々植毛（植設）することによって構成されている。
【００２０】
本実施形態の歯ブラシ１０によれば、歯ブラシ本体は、例えばポリプロピレン、ＡＢＳ樹脂等の合成樹脂からなる公知のもので、その植毛台１１の平坦な植毛面は、先端の略１／４の領域を占める先端部領域１６と、この先端部領域１６の後方部分を歯ブラシ１０の軸方向Ｘに沿った３つの帯状領域１７，１８に分けた際の中央帯状領域１７と、中央帯状領域１７の両側の一対の外側帯状領域１８との４つの領域を有している。
【００２１】
そして、先端部領域１６には、長軸が１．５ｍｍ、短軸が０．８ｍｍのトラック円形状の第１植毛孔１３ａが５箇所に、同じく長軸が１．５ｍｍ、短軸が０．８ｍｍのトラック円形状の第２植毛孔１３ｂが７箇所に各々が形成されている（合計１２箇所）。また中央帯状領域１７には、歯ブラシ１０の軸方向Ｘと平行な短軸が０．８ｍｍ、これと垂直な長軸が３．０ｍｍのトラック円形状の第３植毛孔１３ｃが５箇所に形成されている。さらに、各外側帯状領域１８には、歯ブラシ１０の軸方向Ｘと平行な長軸が２．２ｍｍ、これと垂直な短軸が０．８ｍｍのトラック円形状の第４植毛孔１３ｄが各々８箇所、合計１６箇所に形成されている。
【００２２】
また、先端部領域１６における１２箇所の植毛孔１３ａ，１３ｂのうちの５箇所の第１植毛孔１３ａには、図１（ａ）において黒塗りで略示される第１毛束１５ａが、７箇所の第２植毛孔１３ｂには、白塗りで略示される第２毛束１５ｂが各々植毛されている。また中央帯状領域１７における５箇所の第３植毛孔１３ｃには、陰線を描いて略示される第３毛束１５ｃが、各外側帯状領域１８における８箇所の４植毛孔１３ｄには、歯ブラシ１０の軸方向Ｘに片寄せた丸を描いて略示される第４毛束１５ｄが各々植毛されている。
【００２３】
なお、本実施形態によれば、植毛台１１の植毛面における先端部領域１６、中央帯状領域１７、外側帯状領域１８は、各領域に植設される先端毛束群１９Ａ、中央毛束群１９Ｂ、外側毛束群１９Ｃを構成する毛束１５ａ，１５ｂ，１５ｃ，１５ｄのうちの、他の毛束群と隣接する位置に配置される各一対の毛束１５ｂ，１５ｃ，１５ｄの外周間の植毛面における中点を結んで得られる線分２０に相当する、他の毛束群と隣接する位置に配置される各一対の植毛孔１３ｂ，１３ｃ，１３ｄの外周間の中点を結んで得られる線分２０によって区画される領域である。
【００２４】
また、各毛束１５ａ，１５ｂ，１５ｃ，１５ｄを構成するブリッスル１４ａ，１４ｂ，１４ｃ，１４ｄは、ナイロン等の合成樹脂からなる例えば６〜９ｍｉｌの太さを有するフィラメント材であって、これを例えば十数本〜数十本束ねることによって各毛束１５ａ，１５ｂ，１５ｃ，１５ｄが形成されることになる。
【００２５】
本実施形態によれば、先端部領域１６に植設される第１毛束１５ａは、太さが９ｍｉｌ（０．２２９ｍｍ）の先端第１ブリッスル１４ａを１５本束ねて構成されており、各先端第１ブリッスル１４ａは植毛面から１１．０〜１２．０ｍｍの毛丈（植毛台１１の先端側の第１毛束１５ａを構成する先端第１ブリッスル１４ａから順番に１１．５ｍｍ、１２．０ｍｍ、１１．５ｍｍ、１１．０ｍｍの毛丈）で植毛されている。また、第２毛束１５ｂは、太さが８ｍｉｌ（０．２０３ｍｍ）の先端第２ブリッスル１４ｂを１９本束ねて構成されており、各先端第２ブリッスル１４ｂは植毛面から１０．５〜１１．５ｍｍの毛丈（植毛台１１の先端側の第２毛束１５ｂを構成する先端第２ブリッスル１４ｂから順番に１１．５ｍｍ、１１．０ｍｍ、１０．５ｍｍの毛丈）で植毛されている。
【００２６】
すなわち、本実施形態によれば、５箇所の第１毛束１５ａと７箇所の第２毛束１５ｂとからなる先端部領域１６における毛束群１９Ａの全体の上端ブラシ面は、植毛台１１の先端側から２列目の２つの第１毛束１５ａ（毛丈１２．０ｍｍ）が最も高くなった、歯ブラシ１０の側方から視て山型の形状を形成している（図１（ｂ）参照）。そして先端部領域１６に植設された５箇所の第１毛束１５ａと７箇所の第２毛束１５ｂは、何れも、植毛台１１の植毛面と垂直な方向に対して５度の角度で歯ブラシ１０の軸方向Ｘの先端側に傾倒して植設されている。
【００２７】
また、本実施形態によれば、中央帯状領域１７に植設される第３毛束１５ｃは、太さが９ｍｉｌ（０．２２９ｍｍ）の中央ブリッスル１４ｃを３８本束ねて構成されており、各中央ブリッスル１４ｃは植毛面から１１．５ｍｍの毛丈で植毛されている。また各外側帯状領域１８に植設される第４毛束１５ｄは、太さが７ｍｉｌ（０．１７８ｍｍ）の外側ブリッスル１４ｄを４８本束ねて構成されており、各外側ブリッスル１４ｄは植毛面から９．０〜１１．５ｍｍの毛丈で植毛されている。
【００２８】
そして、中央帯状領域１７に植設された５箇所の第３毛束１５ｃは、何れも、植毛台１１の植毛面と垂直な方向に対して１０度の角度で歯ブラシ１０の軸方向Ｘの先端側に傾倒して植設されている。また各外側帯状領域１８に植設された各々８箇所の第４毛束１５ｄのうち先端に位置する各１箇所の第４毛束１５ｄは、植毛台１１の植毛面と垂直な方向に対して１０度の角度で歯ブラシ１０の軸方向Ｘの先端側に傾倒して植設されている。
【００２９】
さらに、本実施形態によれば、上記第４毛束１５ｄは、図１（ｂ）のＡ部にその上面図及び側面図を拡大して示すように、最も高い毛丈（１１．５ｍｍ）の８本の外側ブリッスル１４ｄから、最も低い毛丈（９．０ｍｍ）の外側ブリッスル１４ｄに亘って、先端形状が凹状の湾曲形状となるように外側ブリッスル１４ｄの毛丈を順次低くした状態で植毛されるものであり、これによって、植毛台１１の後側から３００ｇの荷重を垂直に負荷しつつ刷掃した際に、毛丈の長い方の２１本の外側ブリッスル１４ｄのみの先端が平坦な面に当接して、当該２１本の外側ブリッスル１４ｄのみが主ブリッスルを構成することになる。
【００３０】
上述のように各毛束１５ａ，１５ｂ，１５ｃ，１５ｄが植毛台１１に植毛されていることにより、本実施形態の歯ブラシ１０によれば、毛丈の短い方の２７本の外側ブリッスル１４ｄを除いて、各毛束１５ａ，１５ｂ，１５ｃ，１５ｄを構成するブリッスル１４ａ，１４ｂ，１４ｃ，１４ｄは、植毛台１１に植設された複数本のブリッスルの先端を平坦な面に当接させて植毛台１１の後側から３００ｇの荷重を垂直に負荷しつつ刷掃した際に平坦な面に先端が接触するブリッスルである主ブリッスルとなっている。
【００３１】
また、本実施形態によれば、上述のように各毛束１５ａ，１５ｂ，１５ｃ，１５ｄが植毛台１１に植毛されていることにより、先端部領域１６に植設された５箇所の第１毛束１５ａと７箇所の第２毛束１５ｂは、その横断面形状、傾倒角度等が略同様となっていると共に、全体で一つの山形を形成していることから、統一された特徴を有する毛束１５ａ，１５ｂの集合としてひとまとまりの先端毛束群１９Ａを構成することになる。
【００３２】
また中央帯状領域１７に植設される５箇所の第３毛束１５ｃは、その横断面形状、毛束の傾倒方向、傾倒角度等が同様となっていることから、統一された特徴を有する毛束１５ｃの集合としてひとまとまりの中央毛束群１９Ｂを構成することになる。さらに各外側帯状領域１８に植設される各々８箇所の第４毛束１５ｄは、その先端形状（ブリッスルを揃えた面の曲率）、横断面形状等が同様となっていることから、統一された特徴を有する毛束１５ｄの集合としてひとまとまりの外側毛束群１９Ｃを各々構成することになる。
【００３３】
そして、これらの先端毛束群１９Ａ、中央毛束群１９Ｂ、外側毛束群１９Ｃは、各毛束群１９Ａ，１９Ｂ，１９Ｃを構成する毛束１５ａ，１５ｂ，１５ｃ，１５ｄがその横断面形状、傾倒角度等において明らかに異なっていることから、明確に区別できる異なる外観形態を有することになる。
【００３４】
さらに、本実施形態によれば、上述のように各毛束１５ａ，１５ｂ，１５ｃ，１５ｄが植毛台１１に植毛されていることにより、中央毛束群１９Ｂを構成する各中央主ブリッスル１４ｃの断面積の総和は７．８ｍｍ２となり、中央帯状領域１７の面積は４５ｍｍ２であることから、中央毛束群１９Ｂを構成する各中央主ブリッスル１４ｃの断面積の総和の中央帯状領域１７の面積に対する割合である中央帯状領域１７における植毛密度は、１７．２％となる。また先端毛束群１９Ａを構成する先端第１主ブリッスル１４ａ及び先端第２主ブリッスル１４ａの断面積の総和は７．４ｍｍ２、各外側毛束群１９Ｃを構成する外側主ブリッスル１４ｄの断面積の総和は４．２ｍｍ２（合計８．４ｍｍ２）であることから、各中央主ブリッスル１４ｃの断面積の総和の植毛面に植設された全主ブリッスル１４ａ，１４ｂ，１４ｃ，１４ｄの断面積の総和に対する割合である中央帯状領域における主ブリッスル断面積率は、３３．１％となる。
【００３５】
なお、本実施形態によれば、先端部領域１６の面積は３７ｍｍ２であることから、先端毛束群１９Ａを構成する各先端主ブリッスル１４ａ，１４ｂの断面積の総和の先端部領域１６の面積に対する割合である先端部領域１６における植毛密度は、１９．９％となっており、また各外側帯状領域１８の面積は３６．５ｍｍ２であることから、各外側毛束群１９Ｃを構成する各先端主ブリッスル１４ｄの断面積の総和の各外側帯状領域１８の面積に対する割合である外側帯状領域１８における植毛密度は、１１．４％となっている。
【００３６】
そして、本実施形態の歯ブラシ１０によれば、歯ブラシ全体の歯垢除去効果を損なうことなく、統一された特徴が異なる複数の毛束群１９Ａ，１９Ｂ，１９Ｃによる前歯、奥歯等の各歯の種類や、歯間部、歯面部、歯頸部等の各歯の部位に応じた刷掃を効率良く行うことが可能になる。すなわち、本実施形態の歯ブラシ１０によれば、先端部領域１６に植設された、特に奥歯の奥の刷掃に寄与する先端毛束群１９Ａと、中央帯状領域１７に植設された、特に歯間部や平滑面の刷掃に寄与する中央毛束群１９Ｂと、各外側帯状領域１８に植設された、特に中央毛束群１９Ｂの歯間部への誘導と歯ぐきのマッサージに寄与する外側毛束群１９Ｃは、これらの毛束群１９Ａ，１９Ｂ，１９Ｃの機能等に応じてその統一された特徴が異なっており、且つ中央帯状領域１７における植毛密度が１７．２％、中央帯状領域１７における主ブリッスル断面積率が３３．１％となっているので、各毛束群１９Ａ，１９Ｂ，１９Ｃによって、異なる歯の種類や異なる歯の部位に対して各々効率良く刷掃を行ってゆくことが可能になる。
【００３７】
また、中央帯状領域１７における植毛密度と主ブリッスル断面積率の双方がいずれも低くならないように、先端部領域１６と各外側帯状領域１８における主ブリッスル１４ａ，１４ｂ，１４ｄの量がコントロールされていることにより、歯間部の奥深くまで主ブリッスルの先端が到達し、且つ歯間部だけでなく平滑面までも主ブリッスルが万遍なく効率的に接触するという作用によって、歯ブラシ全体の歯垢除去効果を効率良く向上させることが可能になる。
【００３８】
なお、本発明は上記各実施形態に限定されることなく種々の変更が可能である。例えば、植毛台における植毛孔の形状や配置、各毛束を構成するブリッスルの太さ、本数等は上記各実施形態のものに限定されるものではない。また、歯ブラシの植毛台に先端毛束群と中央毛束群と外側毛束群のみを植設する必要は必ずしもなく、例えば中央帯状領域と外側帯状領域の後方に、さらに他の毛束又は毛束群が植設されていても良い。
【００３９】
【実施例】
以下、実施例及び比較例により、本発明の歯ブラシをさらに詳細に説明するが、本発明はこれらに限定されるものではない。
【００４０】
〔実施例１〕
上記実施形態の歯ブラシ１０と同様の構成を有する歯ブラシを実施例１の歯ブラシとして、後述の歯垢除去率のモデル試験によって歯垢除去率の評価を行った。評価の結果を図５に示す。
【００４１】
〔比較例１〕
図４に示すように、先端部領域３０に植設される先端毛束群３４Ａの９箇所の先端毛束３５ａと、中央帯状領域３１に植設される中央毛束群３４Ｂの７箇所の中央毛束３５ｂと、各外側帯状領域３２に植設される各外側毛束群３４Ｃの７箇所の外側毛束３５ｃとを、同図に示すよう配置した歯ブラシを比較例１の歯ブラシとして、後述の歯垢除去率のモデル試験によって歯垢除去率の評価を行った。評価の結果を図５に示す。
【００４２】
なお、比較例１の歯ブラシによれば、各先端毛束３５ａが植設される先端植毛孔３６ａは、長軸が１．５ｍｍ、短軸が０．８ｍｍのトラック円形状を有しており、これらの先端植毛孔３６ａには、太さが８ｍｉｌ（０．２０３ｍｍ）のブリッスルを２４本束ねてなる先端毛束３５ａが１１ｍｍの毛丈で各々植毛されている。また各中央毛束３５ｂが植設される中央植毛孔３６ｂは、長軸が４．５ｍｍ、短軸が０．８ｍｍのトラック円形状を有しており、これらの中央植毛孔３６ｂには、太さが７ｍｉｌ（０．１７８ｍｍ）のブリッスルを１２７本束ねてなる先端毛束３５ｂが１１ｍｍの毛丈で各々植毛されている。
【００４３】
さらに、各外側毛束３５ｃが植設される外側植毛孔３６ｃは、長軸が１．５ｍｍ、短軸が０．８ｍｍのトラック円形状を有しており、これらの外側植毛孔３６ｃには、太さが８ｍｉｌ（０．２０３ｍｍ）のブリッスルを２４本束ねてなる外側先端毛束３５ｃが１１ｍｍの毛丈で各々植毛されている。また比較例１の歯ブラシによれば、中央帯状領域３１及び外側帯状領域３２の後方の後端部領域３３の５箇所の後端植毛孔３６ｄには、外側毛束３５ｃと同様の形状の後端毛束３５ｄが植設されていて、後端毛束群３４Ｄを形成している。
【００４４】
そして、比較例１の歯ブラシによれば、中央毛束群３４Ｂを構成する各中央主ブリッスルの断面積の総和は１７．１ｍｍ２となり、中央帯状領域３１の面積は５６ｍｍ２であることから、中央毛束群３４Ｂを構成する各中央主ブリッスルの断面積の総和の中央帯状領域３１の面積に対する割合である中央帯状領域３１における植毛密度は、３０．５％となっている。また先端毛束群３４Ａを構成する各先端主ブリッスルの断面積の総和は６．７ｍｍ２、各外側毛束群３４Ｃ及び後端毛束群３４Ｄを構成する各外側主ブリッスル及び各後端主ブリッスルの断面積の総和は１４．２ｍｍ２であることから、各中央主ブリッスルの断面積の総和の植毛面に植設された全主ブリッスルの断面積の総和に対する割合である中央帯状領域３２におけるブリッスル断面積率は、４５．０％となっている。
【００４５】
〔比較例２，３〕
市販品Ａ（商品名「Ｏｒａｌ−Ｂ　ｃｒｏｓｓａｃｔｉｏｎ〔ｓｏｆｔ　３５　ｃｏｍｐａｃｔ〕」Ｏｒａｌ−Ｂ　Ｌａｂｏｒａｔｏｒｉｅｓ社製）を比較例２の歯ブラシとし、市販品Ｂ（商品名「アクアフレッシュツイストクロス〔ふつう〕」スミスクライン・ビーチャム製薬社製）を比較例３の歯ブラシとして、各々について中央帯状領域における植毛密度と、中央帯状領域における主ブリッスル断面積率とを算出すると共に、後述の歯垢除去率のモデル試験によって歯垢除去率の評価を行った。評価の結果を図５に示す。なお、中央帯状領域における植毛密度については、市販品Ａでは８．６％、市販品Ｂでは２１．６％だった。また中央帯状領域における主ブリッスル断面積率については、市販品Ａでは１８．７％、市販品Ｂでは２２．７％だった。
【００４６】
〔歯垢除去率のモデル試験〕
図２に示すように、Ｒ４の曲面同士を向き合わせたアルミブロックによる歯間部モデル２１を作成し、この歯間部モデル２１の表面に歯垢モデルとしてビデオテープ磁性層２２を取り付けた。ビデオテープとして、西友プライベートブランドの「Ｓ’ＲＩＢＢＯＮ」スタンダードタイプ（１２０分、型番３Ｔ−１２０ＳＲ）」を使用した。作成した歯間部モデル２１に対して、ブラッシングマシーンを用いて実施例１の歯ブラシ、及び比較例１〜３の歯ブラシの各々による刷掃を行った。
【００４７】
刷掃条件は、荷重３００ｇ、速度１２０ｒｐｍ、振幅３０ｍｍ、回数１２０回とし、ハミガキとして研磨促進剤であるアパガードＭプラス（商品名、サンギ社製）を使用した。２πＲ×幅５ｍｍの領域を歯間部の評価領域２３とし、刷掃後にビデオテープ磁性層２２を展開して、デジタルカメラで撮影すると共に画像解析した。画像解析によって、評価領域２３において磁性層が剥がれて白くなった部分の面積の比率を計算し、歯間部における歯垢除去率とした。評価結果を図５の円内に示す。
【００４８】
図５に示す評価結果によれば、本発明に係る実施例１の歯ブラシは、歯間部の歯垢の除去効果について、比較例１〜３の歯ブラシと比較して極めて高い評価が得られることが判明する。
【００４９】
【発明の効果】
本発明の歯ブラシによれば、歯ブラシ全体の歯垢除去効果を損なうことなく、統一された特徴が異なる複数の毛束群による各歯の種類や部位に応じた刷掃を効率良く行うことができる。
【図面の簡単な説明】
【図１】（ａ）は本発明の一実施形態に係る歯ブラシの要部を示す略示平面図、（ｂ）は同側面図及び部分拡大図である。
【図２】歯垢除去率のモデル試験の説明図である。
【図３】（ａ），（ｂ）は、植毛台の後側から３００ｇの荷重Ｐを垂直に負荷しつつ刷掃した際に、平坦な面に先端が接触する主ブリッスルの説明図である。
【図４】比較例１の歯ブラシの要部を示す略示平面図である。
【図５】歯垢除去率のモデル試験の評価結果を示すチャートである。
【符号の説明】
１０　歯ブラシ
１１　植毛台
１２　首部
１３ａ　第１植毛孔
１３ｂ　第２植毛孔
１３ｃ　第３植毛孔
１３ｄ　第４植毛孔
１４ａ　先端第１主ブリッスル
１４ｂ　先端第２主ブリッスル
１４ｃ　中央主ブリッスル
１４ｄ　外側主ブリッスル
１５ａ　第１毛束
１５ｂ　第２毛束
１５ｃ　第３毛束
１５ｄ　第４毛束
１６　先端部領域
１７　中央帯状領域
１８　外側帯状領域
１９Ａ　先端毛束群
１９Ｂ　中央毛束群
１９Ｃ　外側毛束群
２０　先端部領域と中央帯状領域と外側帯状領域を区画する線分
Ｘ　歯ブラシの軸方向
【図１】
2004105304.tif 000003
【図２】
2004105304.tif 000004
【図３】
2004105304.tif 000005
【図４】
2004105304.tif 000006
【図５】
2004105304.tif 000007